(57)【要約】【課題】本発明は毛髪染色液をさまざまなレベルで塗布するための装置に関するものである。【解決手段】本装置は、分配すべき液体を収容する貯蔵部１、測定された量を分配するピストン３、及び毛髪の根本を染色するための多数の中空歯部６及び／または毛髪の全長を染色するための多数の孔７を持つベース８を具備するキャップ５から構成されるものである。本装置は、基本的にベース８が頭蓋骨の形状と合致するように凹んでいることと、キャップ５がキャップを交換可能にする付着手段２を具備して、中空歯部６及び／または孔７を具備したキャップを取り替えて使うことができるようにすることを特徴とする。【選択図】図１
2008512131.tif 000002
【特許請求の範囲】
【請求項１】
分配する液体を収容する貯蔵部（１）、測定された量を散布するピストン（３）、及び毛髪の根本を染色するための多数の中空歯部（６）及び／または毛髪の全長を染色するための多数の孔（７）を持つベース（８）を具備したキャップ（５）を含んでなる、毛髪染色液をさまざまなレベルで塗布するための装置において、
前記ベース（８）は頭蓋骨の形状と合致するように凹んでいることと、前記キャップ（５）は中空歯部（６）及び／または孔（７）を持つキャップ（５）を取り替えて使うようにキャップ（５）を交換可能にする付着手段（２）を具備することを特徴とする装置。
【請求項２】
引き金（９）、軸（１０）、スプリング（１１）が装着された進行板（４）、及びスプリング（１３）が装着された制動板（１２）から構成され、測定された量の液体を供給するようにピストン（５）に作用する組立体を含むことを特徴とする請求項１に記載の装置。
【請求項３】
制動板（１２）を解除することができるボタン（１４）と、貯蔵部（１）内のピストンを再び持ち上げることができる復帰スプリング（１５）とを含むことを特徴とする請求項２に記載の装置。
【請求項４】
ピストン（３）と一体に形成され、貯蔵部（１）の本体と一体に形成された支持部（１７）によって案内され、前記ピストンをその線形移動中に一定配向状態で維持する段階的軸（１６）を含むことを特徴とする請求項２に記載の装置。
【請求項５】
前記中空歯部（６）は側方開口（６Ａ）を通じて液体を分配することを特徴とする請求項１に記載の装置。
【請求項６】
前記中空歯部（６）はさまざまな長さを持つことを特徴とする請求項１に記載の装置。
【発明の詳細な説明】
【技術分野】
【０００１】
本発明は、毛髪染色液をさまざまなレベルで、特に毛髪の根本のレベルで及び／または全長に沿って塗布する装置に関するものである。
【背景技術】
【０００２】
最も類似の従来技術は次の特許等に説明されている。
【０００３】
特許文献１には、櫛の歯として機能する多数の歯部と、平坦面上に配置された染色組成物を分配するための多数の孔とを具備する関連装置が説明されている。
【０００４】
特許文献２には、平坦面上に配置され染色組成物を分配するための多数の歯部及び孔を具備する関連装置が説明されている。
【特許文献１】仏国特許出願公開第２８５０５４５号明細書（ＦＲ２８５０５４５）
【特許文献２】国際公開第９８／５１１８３号パンフレット（ＷＯ９８／５１１８３）
【発明の開示】
【発明が解決しようとする課題】
【０００５】
前記装置等は次のような点で不便である。
【０００６】
前者は、歯部の端部レベルで、すなわち髪の根本のレベルで組成物を分配するだけであり、支持表面は平坦であるので、塗布面はふくらんでいる。また、ピストンを移動させる手段はスクリュー及びナットのタイプであり、精度が低く且つ両手を使わなければいけない。さらに、歯部の端部に配置された分配口は液体の良好な分配を邪魔する。
【０００７】
後者は、歯部の端部レベルで組成物を分配するので、支持ベースのレベルでは支持部の表面が平坦であり、塗布面がふくらんでいる。また、ピストン移動手段は電気的なものであるのでバッテリーが必要である。さらに、歯部の端部に配置された分配口は液体の良好な分配を邪魔する。
【課題を解決するための手段】
【０００８】
本発明は前述した不便さを解消する装置を実現するものである。
【０００９】
このために、本発明は、毛髪染色液をさまざまなレベルで塗布するのに使用する装置であって、分配すべき液体を収容する貯蔵部と、測定された量を分配するためのピストンと、毛髪の根本を染色するのに用いられる多数の中空の歯部、及び／または、毛髪の全長を染色する多数の孔を持つベースを具備したキャップとを含んでなる。
【００１０】
前記装置は、前記ベースが頭蓋骨の形状と合致するように凹んでおり、染色液のより良好な分配を実現することと、前記キャップが交換可能にする固定手段を具備して、中空歯部及び／または孔を具備するキャップを取り替えて使うことができることを特徴とする。
【００１１】
また、前記装置は、
−引き金と、軸と、スプリングが装着された進行板と、及び、スプリングが装着された制動板とから構成され、ピストンに作用して、測定された量の液体を供給することができる組立体を含むことと、
−中空歯部が側方開口を通じて液体を分配することを特徴とする。
【発明を実施するための最良の形態】
【００１２】
図面に示した装置は、毛髪染色液をさまざまなレベルで塗布するのに使用され、基本的に、
−分配すべき液体を収容する貯蔵部１と、
−測定された量を普及するピストン３と、
−毛髪の根本を染色する多数の中空歯部及び／または毛髪の全長を染色する多数の孔７を持つベース８を具備するキャップ５を含んでなる。
【００１３】
本発明の基本的な特徴によれば：
−ベース８は頭蓋骨の形状と合致し、液体をより良好に分配するために凹んでおり、望ましくは円筒状に凹んでおり；
−キャップ５は、中空歯部６を持つかまたは孔７を持つかまたは中空歯部と孔の両方を持つキャップ５を取り替えて使うため、ねじが形成されるかまたは交換可能にするそれ以外のタイプの付着手段２を具備する。
【００１４】
本発明の他の特徴によれば、前記装置は：
−貯蔵部１の本体に属する引き金９、軸１０、スプリング１１が装着された進行板４、及びスプリング１３が装着された制動板１２から構成され、測定された量の液体を供給するようにピストン３に作用することができるセット；
−制動板１２を解除することができるボタン１４及び貯蔵部１内のピストンを再び持ち上げることができる復帰スプリング１５；
−ピストン３と一体に形成され、貯蔵部１の本体と一体になった支持部１７によって案内され、前記ピストンをその線形移動中に同一配向状態で維持することができる段階的軸１６；を含んでなり；前記支持部１７はピストンの軸１０を案内する要素としても作用する；
−前記中空歯部６は側方開口６Ａを通じて液体を容易に分配し；
−前記中空歯部６は毛髪の全長に沿ってより良好に分配するようにさまざまな長さを持つことができる。
【００１５】
分配孔を持つか持たないキャップの通路は、他の方式として、必要によって孔を覆う装置によって実現することができる。最後に、本装置は、使用後に廃棄するかまたは洗浄して再使用する貯蔵器として機能することができる利点を持つ。
【００１６】
本発明は前述した実施例に限定されないもので、本発明の範囲から離脱しないで、特に
−本発明による装置を構成する要素の材料の特性、形態及び寸法；
−ピストンに作用する手段及びキャップに使用するベースのタイプ；
−各キャップと関連する歯部及び孔の個数及び配列；
−使用すべき染色液またはローション（例えば、トリートメントローション）のタイプ
に対して代替可能であることを理解しなければならない。
【産業上の利用可能性】
【００１７】
本発明は、毛髪染色液をさまざまなレベルで、特に毛髪の根本のレベルで及び／または全長に沿って塗布する装置に関するものであり、毛髪染色液塗布装置として有用である。
【図面の簡単な説明】
【００１８】
【図１】本発明による装置の断面図。
【図２】歯部を具備するキャップベースの部分図。
【図３】歯部と孔を具備するキャップベースの部分図。
【図４】本発明による組立体の３次元外形図。
【図１】
2008512131.tif 000003
【図２】
2008512131.tif 000004
【図３】
2008512131.tif 000005
【図４】
2008512131.tif 000006
【国際調査報告】
2008512131.tif 000007
2008512131.tif 000008
2008512131.tif 000009
2008512131.tif 000010
2008512131.tif 000011
2008512131.tif 000012